(57)【特許請求の範囲】
【請求項１】
錠剤を収容する複数の膨出部、前記膨出部が配置された収容領域とは異なる領域に配置されたパッケージ端子群、及び前記収容領域に設けられ、前記パッケージ端子群に接続されたパッケージ回路を含むパッケージ体と、
互いに嵌合される第１部品及び第２部品を有し、前記第１部品と前記第２部品との間で前記パッケージ体の前記パッケージ端子群を含む領域を挟んで当該パッケージ体を保持するモジュール体とを備え、
前記第１部品は前記第１部品とは別体の前記第２部品との間で前記パッケージ体を挟持する部品本体と、前記部品本体から前記パッケージ体の前記収容領域側へ延びて、前記パッケージ体を支持する延在部とを有し、前記部品本体に、前記第２部品との間で前記パッケージ体を挟持した状態において前記パッケージ端子群と接続可能なモジュール端子群と、このモジュール端子群に接続された情報処理基板とが設けられ、
前記モジュール端子群および前記情報処理基板は、前記部品本体に前記パッケージ端子群が挿入される挿入空間を前記部品本体と前記第２部品との間に形成するよう設けられている、錠剤管理装置。
【請求項２】
前記延在部のうち前記膨出部に対応する部分に複数の第１開口が形成された、請求項１に記載の錠剤管理装置。
【請求項３】
前記第１部品のうち前記第２部品と反対側の端部に、前記第１部品の前記延在部上の前記パッケージ体を覆うとともに前記膨出部に対応する部分に複数の第２開口が形成されたカバーを揺動自在に設けた、請求項１に記載の錠剤管理装置。
【請求項４】
前記第１部品の前記延在部に、前記延在部上の前記パッケージ体を覆うスライド体をスライド自在に設けた、請求項１に記載の錠剤管理装置。
【請求項５】
前記第１部品の前記延在部は、前記部品本体に対して揺動して開位置と閉位置をとり、前記延在部が閉位置をとったとき、前記延在部は第２部品上に重なって前記パッケージ体を覆う、請求項１に記載の錠剤管理装置。
【発明の詳細な説明】
【技術分野】
【０００１】
本発明は、収容した錠剤を管理する錠剤管理装置に関する。
【背景技術】
【０００２】
複数の錠剤を収容し、収容した錠剤の利用状況を管理するモジュール付パッケージが利用に供されている（特許文献１参照）。例えば、特許文献１に示すモジュール付パッケージでは、複数の錠剤を収容するパッケージ体を有し、このパッケージ体は、電子部品を収容したモジュール体に装着されている。パッケージ体から錠剤が取り出されると、この取り出しの情報がパッケージ体に配置されたパッケージ回路にて検出され、パッケージ回路からモジュール体に送られるようになっている。錠剤の取り出しの情報を管理することにより、服用による治療効果を期待された通りに得ることに大きく貢献する。
【０００３】
特許文献１に示すモジュール付パッケージは、パッケージ体とモジュール体とが一体になっている。この場合、錠剤がなくなるとモジュール体ごと廃棄せねばならなく、経済的ではない。そこで、特許文献２に示すように、パッケージ体とモジュール体とを分離可能に構成したモジュール付パッケージの開発も進められている。
【先行技術文献】
【特許文献】
【０００４】
【特許文献１】特開２０１４−１７６５９７号公報
【特許文献２】特開平２−２５７９６０号公報
【発明の概要】
【発明が解決しようとする課題】
【０００５】
パッケージ体とモジュール体とを分離可能に構成した場合、パッケージ体のみを交換してモジュール体を繰り返し使用することができるため、経済的である。この場合、パッケージ体のパッケージ端子群がモジュール体により挟持されて、パッケージ体をモジュール体により保持することができる。しかしながら、パッケージ体のうち錠剤が収納される領域はモジュール体により保持されないため、錠剤管理装置全体を鞄に入れて持ち運ぶ際、パッケージ体の錠剤収納領域がモジュール体から外方へ突出し、このため、パッケージ体が曲がったり錠剤が誤って放出されることがある。
【０００６】
本発明は、このような点に鑑みてなされたものであり、パッケージ体全体を確実にモジュール体により保持して、パッケージ体が曲がったり錠剤が誤って放出することができない錠剤管理装置を提供することを目的とする。
【課題を解決するための手段】
【０００７】
本発明は、錠剤を収容する複数の膨出部、前記膨出部が配置された収容領域とは異なる領域に配置されたパッケージ端子群、及び前記収容領域に設けられ、前記パッケージ端子群に接続されたパッケージ回路を含むパッケージ体と、互いに嵌合される第１部品及び第２部品を有し、前記第１部品と前記第２部品との間で前記パッケージ体の前記パッケージ端子群を含む領域を挟んで当該パッケージ体を保持するモジュール体とを備え、前記第１部品は前記第２部品との間でパッケージ体を挟持する部品本体と、前記部品本体から前記パッケージ体の前記収容領域側へ延びて、前記パッケージ体を支持する延在部とを有し、前記部品本体に、前記第２部品との間で前記パッケージ体を挟持した状態において前記パッケージ端子群と接続可能なモジュール端子群と、このモジュール端子群に接続された情報処理基板とが設けられている、錠剤管理装置である。
【０００８】
本発明は、前記モジュール端子群および前記情報処理基板は、前記部品本体に前記パッケージ端子群が挿入される挿入空間を形成するよう設けられている、錠剤管理装置である。
【０００９】
本発明は、前記延在部のうち前記膨出部に対応する部分に複数の第１開口が形成された、錠剤管理装置である。
【００１０】
本発明は、前記第１部品のうち前記第２部品と反対側の端部に、前記第１部品の前記延在部上の前記パッケージ体を覆うとともに前記膨出部に対応する部分に複数の第２開口が形成されたカバーを揺動自在に設けた、錠剤管理装置である。
【００１１】
本発明は、前記第１部品の前記延在部に、前記延在部上の前記パッケージ体を覆うスライド体をスライド自在に設けた、錠剤管理装置である。
【００１２】
本発明は、前記第１部品の前記延在部は、前記部品本体に対して揺動して開位置と閉位置をとり、延在部が閉位置をとったとき、延在部は第２部品上に重なって前記パッケージ体を覆う、錠剤管理装置である。
【発明の効果】
【００１３】
本発明によれば、パッケージ体のパッケージ体端子群を第１部品の部品本体と第２部品との間で挟持し、膨出部領域を第１部品の延在部により支持することができる。このためパッケージ体全体をモジュール体により確実に保持することができる。これによりパッケージ体が曲がったり、錠剤が誤って放出されることはない。
【図面の簡単な説明】
【００１４】
【図１】図１は本実施の形態に係る錠剤管理装置を示す斜視図であってカバーが開いた状態を示す図。
【図２】図２は図１に示す錠剤管理装置において、カバーが閉じた状態を示す図。
【図３】図３は錠剤管理装置を構成するモジュール体を示す斜視図。
【図４】図４（ａ）は錠剤管理装置を構成する第１部品を示す平面図であって、図４（ｂ）は図４（ａ）のＢ−Ｂ線断面図。
【図５】図５は錠剤管理装置を構成する第２部品を示す平面図。
【図６】図６は第２部品を示す側面図。
【図７】図７は錠剤管理装置を構成するカバーを示す平面図。
【図８】図８は錠剤管理装置を構成するパッケージ体を示す平面図。
【図９】図９（ａ）はパッケージ体の表側を示す展開図、図９（ｂ）はパッケージ体を構成する錠剤シートを示す平面図。
【図１０】図１０はパッケージ体の裏側を示す展開図。
【図１１】図１１はモジュール体に収納される情報処理基板を示すブロック図。
【図１２】図１２は本発明による錠剤管理装置の変形例を示す斜視図。
【図１３】図１３は本発明による錠剤管理装置の変形例を示す斜視図。
【発明を実施するための形態】
【００１５】
＜本発明の実施の形態＞
以下、図面を参照して本発明の実施の形態について説明する。なお、本件明細書に添付する図面においては、図示と理解のしやすさの便宜上、適宜縮尺および縦横の寸法比等を、実物のそれらから変更し誇張してある。図１乃至図１４は、一実施の形態及びその変形例を説明するための図である。このうち、図１および図２は、一実施形態に係る錠剤管理装置１を示す斜視図であって、図１は後述するカバー７０を閉とした図であり、図２はカバー７０を開とした図である。
【００１６】
図１および図２に示す錠剤管理装置１は、錠剤の利用に関する情報を管理するモジュール付パッケージである。錠剤管理装置１は、複数の錠剤を収容するパッケージ体２と、このパッケージ体２を保持するとともに、電子部品を収容したモジュール体５とを備えている。そしてパッケージ体２から錠剤が取り出されると、この取り出しの情報がパッケージ体２に配置されたパッケージ回路１３（図９（ａ）参照）にて検出され、パッケージ回路１３からモジュール体５に送られるようになっている。
【００１７】
とりわけ、図１および図２に示すパッケージ体２は、モジュール体５に着脱可能に保持されている。この場合、パッケージ体２内の錠剤がなくなると、使用済みのパッケージ体２を新たなパッケージ体２と交換すればモジュール体５を繰り返し使用することができるため、経済的である。
【００１８】
先ず、図８、図９（ａ）（ｂ）および図１０を参照して、錠剤を収容するパッケージ体２について説明する。図８は、パッケージ体２を示す平面図である。図８に示すように、パッケージ体２は、錠剤Ｍを収容するための複数、例えば１０個の膨出部１１と、後述するパッケージ回路１３とを含む収容領域１０と、収容領域１０に接続された後述するパッケージ端子群２１を含む取付領域２０と、を含んでいる。収容領域１０に収容される錠剤Ｍとしては、医薬品として用いられるものや健康食品として用いられるものが挙げられる。本実施の形態では、錠剤として、医薬品としての錠剤Ｍが収容されている。なお、錠剤とは、カプセルやタブレットとも呼ばれ得るものを含む概念である。
【００１９】
パッケージ体２は、パッケージ端子群２１と、このパッケージ端子群２１に接続されたパッケージ回路１３が形成された第１面６と、第１面上に重ね合わされる第２面７と、第２面２上に重ね合わされる第３面８とを有する積層構造となっている（図９（ａ）（ｂ）および図１０参照）。
【００２０】
このうち第１面６には、破断線６ａにより囲まれるとともに膨出部１１に対応する１０個の破断領域６ｂが形成され、パッケージ回路１３は破断領域６ｂ上を通る複数の分岐１３ａと有する。
【００２１】
また第２面７には、破断線７ａにより囲まれるとともに膨出部１１に対応する１０個の破断領域７ｂが形成されている。また第２面７には、第１面６に形成されたパッケージ端子群２１を保護する保護シール８が取付けられている。
【００２２】
さらに第３面９には膨出部１１に対応して、１０個の開口９ａが形成されている。
【００２３】
また、第２面７と第３面９との間に、錠剤Ｍを収納する膨出部１１が形成された錠剤シート１１Ａ（図９（ｂ）参照）が挿着される。
【００２４】
図９（ａ）（ｂ）および図１０に示すように、このような構成からなるパッケージ体２は、第１面６上に第２面７を重ね合わせ、第２面７上に錠剤シート１１Ａを載せ、次に錠剤シート１１Ａ上に第３面９を重ね合わせることにより作製される。
【００２５】
上述のように、パッケージ体２の収容領域１０には、パッケージ回路１３が配置されている。パッケージ回路１３は、膨出部１１から錠剤が取り出された情報を検出するための回路である。パッケージ回路１３は、取付領域２０に配置されたパッケージ端子群２１に接続されている。
【００２６】
本実施の形態では、パッケージ回路１３は、パッケージ体２の第１面６のうち、破断領域６ｂに掛け渡された複数の分枝１３ａを含み、パッケージ端子群２１は、パッケージ体２の幅方向ｗｄに並べられた複数の端子２１ａを含んでいる。パッケージ端子群２１の各端子２１ａは、対応するパッケージ回路１３の分枝１３ａに接続される。この場合、錠剤を取り出すべく第１面６の破断領域６ｂが突き破られると、膨出部１１を覆う第１面６の部分に掛け渡された分枝１３ａが断線する。この断線した情報が、パッケージ端子群２１の対応する端子２１ａに電気信号として伝わることにより、膨出部１１から錠剤が取り出された情報を検出するようになっている。またパッケージ体２の取付領域２０には、パッケージ体２の中心線Ｌから左方にずれて切欠２２が設けられている。
【００２７】
このようなパッケージ体２は、モジュール体５に取り外し可能に装着される。次に、モジュール体５について述べる。モジュール体５は、図１乃至図３に示すように、互いに嵌合される第１部品５０と、第２部品６０とを備えている。このうち第１部品５０は上述したパッケージ体２のパッケージ端子群２１を含む取付領域２０を第２部品６０との間で挟持する部品本体５１と、部品本体５１からパッケージ体２の収容領域１０側へ延びてパッケージ体２を支持する延在部５２とを有している。
【００２８】
このように、第１部品５０はパッケージ体２を支持する支持部品として機能し、第２部品６０はパッケージ体２の取付領域２０を覆うカバー部品として機能する。
【００２９】
さらにまた、第１部品５０のうち、第２部品６０との接続部分と反対側に、第１部品５０の延在部５２上のパッケージ体２の収容領域１０を覆うカバー７０が延在部５２に対して揺動自在に設けられている。
【００３０】
次に図４乃至図７により、モジュール体５について更に述べる。  
モジュール体５の部品本体５１は第２部品６０との間でパッケージ体２の取付領域２０を狭持するものであり、また部品本体５１から延びる延在部５２はパッケージ体２を支持するものである。
【００３１】
このうち、図４（ａ）（ｂ）に示すように部品本体５１には、第２部品６０との間でパッケージ体２を挟持した状態においてパッケージ端子群２１と接続可能なモジュール端子群８５と、このモジュール端子群８５に接続された情報処理基板８０とが設けられている。このモジュール端子群８５および情報処理基板８０は、部品本体５１に図示しない支持台を介して設置され、部品本体５１とモジュール端子群８５および情報処理基板８０との間に、パッケージ体２のパッケージ端子群２１を含む取付領域２０が挿入される挿入空間Ｓが形成されている。そして部品本体５１とモジュール端子群８５および情報処理基板８０との間の挿入空間Ｓ内にパッケージ体２のパッケージ端子群２１を含む取付領域２０を挿入することにより、取付領域２０を部品本体５１と第２部品６０との間で狭持することができ、この場合、パッケージ端子群２１とモジュール端子群８５とを接続することができる。
【００３２】
また、第１部品５０の部品本体５１には、上述したパッケージ体２の取付領域２０に設けられた切欠２２に係合する係合リブ５４が設けられている。そして図４（ａ）（ｂ）において、第１部品５０上にパッケージ体２を載置し、このパッケージ体２を第１部品５０上で矢印Ｄ方向に移動させることにより、パッケージ体２の取付領域２０を部品本体５１と第２部品６０との間に挿入させ、取付領域２０を部品本体５１と第２部品６０との間で狭持することができる。この場合、部品本体５１の係合リブ５４がパッケージ体２の取付け領域２０に設けられた切欠２２に係合する。
【００３３】
上述のように、パッケージ体２の切欠２２および部品本体５１の係合リブ５４はパッケージ体２および第１部品５０の中心線Ｌからわずかにずれているため、第１部品５０に対してパッケージ体２を表裏が逆の状態で載置した場合、切欠２２と係合リブ５４とが係合することはない。このためパッケージ体２の表裏を正して合わせてパッケージ体２を第１部品５０上に載置することができる。
【００３４】
また第１部品５０の延在部５２には、パッケージ体２の膨出部１１に対応して１０個の第１開口５０Ａが形成されている。
【００３５】
また、第１部品５０の部品本体５１の表面には４つの嵌合突起５３が設けられ、第２部品６０の裏面には嵌合時５３に嵌合する嵌合凹部（図示せず）が設けられ、嵌合突起５３を嵌合凹部に嵌合させることにより、第１部品５０の部品本体５１に第２部品６０を嵌合して組立てることができる。
【００３６】
次に図５乃至図７により、第２部品６０およびカバー７０について説明する。  
図５および図６に示すように、第２部品６０は情報処理基板８０に接続される操作ボタン６１が設けられている。さらに第２部品６０にはカバー７０の突片７１が嵌合される切欠６３が形成され、カバー７０を第１部品５０の延在部５２に対して揺動することができる。このカバー７０は第１部品５０の延在部５２上のパッケージ体２収容領域１０を覆うものであり、カバー７０を延在部５２に対して閉とした場合、カバー７０の突片７１が第２部品６０の切欠６３内に嵌合される。
【００３７】
また第１部品５０の延在部５２のうち、第２部品６０と反対側の端部にヒンジ受け５８が設けられ、カバー７０側にはヒンジ７８が設けられている。そして延在部５２側のヒンジ受け５８とカバー７０側のヒンジ７８とを嵌合させることにより、第１部品５０の延在部５２に対してカバー７０を揺動させることができる。またカバー７０を閉とすることにより延在部５２上のパッケージ体２を覆うことができる。
【００３８】
さらにまたカバー７０には、パッケージ体２の膨出部１１に対応して、２つの膨出部１１に１つ、合計５個の第２開口７０Ａが設けられている。
【００３９】
そしてカバー７０を閉としてパッケージ体２のうち膨出部１１を含む収容領域１０を覆った場合、膨出部１１はカバー７０の第２開口７０Ａ内に位置する。この際、膨出部１１はカバー７０の第２開口７０Ａ内に収納され、カバー７０から外方へ突出することはなく、カバー７０により膨出部１１を効果的に保護することができる。
【００４０】
ところでモジュール端子群８５は、第１部品５０の部品本体５１と第２部品６０との間でパッケージ体２を挟んだ状態においてパッケージ端子群２１と接続される。
【００４１】
本明細書において、モジュール端子群８５がパッケージ端子群２１と接続されるとは、モジュール端子群８５とパッケージ端子群２１とが端子間で電子情報のやりとりを行うことをいう。したがって、モジュール端子群８５の各端子が、直接的または間接的に対応するパッケージ端子群２１の端子２１ａと接触して導通する例に限定されず、モジュール端子群８５とパッケージ端子群２１とが、物理的に接触せずに端子間で電子情報のやりとりを行ってもよい。かかるモジュール端子群８５とパッケージ端子群２１との非接触式の接続として、誘電作用による渦電流を利用して端子間で電子情報のやりとりを行ってもよい。
【００４２】
このように、パッケージ回路１３にて検出された錠剤の取り出しに関する情報は、パッケージ端子群２１からモジュール端子群８５に伝わる。モジュール端子群８５に伝わった情報は、第１部品５０の部品本体５１に設けられた情報処理基板８０によって処理される。図１１に、第１部品５０に設けられた情報処理基板８０の構成をブロック図として示す。
【００４３】
情報処理基板８０は、薄膜状の機器である。図１１に示す情報処理基板８０は、例えば、第１部品５０内に実装されるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）８１と、水晶振動子８２と、ボタン電池８３と、スピーカ８４と、を有している。
【００４４】
ＡＳＩＣ８１は、モジュール端子群８５に接続され、パッケージ端子群２１からモジュール端子群８５を介して錠剤を取り出した情報を受け取る。ＡＳＩＣ８１は、この受け取った情報を時刻情報とともに時系列で記憶し、記憶した情報に関して不図示のホストコンピュータとの間で無線通信を行う。ＡＳＩＣ８１がホストコンピュータとの間で行う無線通信として、例えば、いわゆるＮＦＣ（Ｎｅａｒ  Ｆｉｅｌｄ  Ｃｏｍｍｕｎｉｃａｔｉｏｎ、近接無線通信）やＢｌｕｅｔｏｏｔｈ（登録商標）の非接触通信が挙げられる。ＡＳＩＣ８１がホストコンピュータとの間で無線通信を行うことにより、利用者の健康に関する情報をホストコンピュータ側で把握し一元的に管理することができる。
【００４５】
ＮＦＣでは、規格上電力の送受もできるため、電池なしで情報処理基板８０を駆動することも原理的には可能である。ただし、本実施形態の情報処理基板８０は、スピーカ８４も備えており、電力の消費量が比較的大きいため、ボタン電池８３を搭載している。なお、ボタン電池８３は、第１部品５０から取り外されて、新たなボタン電池８３に交換可能になっている。
【００４６】
次に、このような構成からなる錠剤管理装置１の利用方法の一例について説明する。  
まず図１に示すように、カバー７０が第１部品５０の延在部５２に対して開となっている。このとき、第１部品５０の延在部５２上にパッケージ体２を載置し、このパッケージ体２の取付領域１０を第１部品５０の部品本体５１と第２部品６０との間に挿入する。この場合、予めパッケージ体２のパッケージ端子群２１を保護する保護シール８が取外されており、パッケージ体２の取付領域１０が部品本体５１と第２部品６０との間で挟持され、パッケージ体２のパッケージ端子群２１が部品本体５１のモジュール端子群８５に接続される。
【００４７】
次にカバー７０が第１部品５０の延在部５２に対して閉となり、カバー７０によりパッケージ体２の膨出部１１が保護される（図２参照）。
【００４８】
このような構成からなる錠剤管理装置１は、例えば通院中の患者によって利用される。利用者は、食後や決まった時間帯にパッケージ体２に収容された錠剤を取り出して服用する。錠剤を取り出すべくカバー７０上からカバー７０の第２開口７０Ａ内にある膨出部１１が押圧される。このとき、錠剤Ｍにより第１面６の破断領域６ｂおよび第２面７の破断領域７ｂが突き破られると、パッケージ回路１３の配線が断線し、この断線した情報が、収容空間１２から錠剤が取り出された情報を示す電気信号としてパッケージ端子群２１からモジュール端子群８５に伝わる。モジュール端子群８５に伝わった信号は、情報処理基板８０で処理される。そして錠剤Ｍは第１面６の破断領域６ｂおよび第２面７の破断領域７ｂを突き破って、延在部５２の第１開口５０Ａから外方へ放出される。
【００４９】
服用を繰り返し、パッケージ体２内の錠剤がなくなると、使用済みのパッケージ体２を新たなパッケージ体２に交換する必要が生じる。新たなパッケージ体２に交換する際には、先ず、図２に示す状態からカバー７０を延在部５２に対して揺動させてカバー７０を開とする。その後、使用済みのパッケージ体２を第１部品５０の部品本体５１から取り外す。
【００５０】
次に上述と同様の作用を繰り返して、第１部品５０の延在部５２上にパッケージ体２を載置し、パッケージ体２の取付領域２０を第１部品５０の部品本体５１と第２部品６０との間に挿入する。このようにしてモジュール体５にパッケージ体２を装着することができる（図１参照）。
【００５１】
次に、第１部品５０の延在部５２に対してカバー７０が揺動して、カバー７０により延在部５２上のパッケージ体２のうち収容領域１０を覆う。
【００５２】
この場合、パッケージ体２の膨出部１１は、カバー７０の第２開口７０Ａ内に位置し、パッケージ体２の膨出部１１をカバー７０により効果的に保護することができる。
【００５３】
以上のように本実施の形態によれば、パッケージ体２のうち取付領域２０を第１部品５０の部品本体５１と、第２部品６０との間で挟持することができる。またパッケージ本体２の収容領域１０を延在部５２により支持することができ、更に収容領域１０をカバー７０により覆うことができる。このためパッケージ体２全体をモジュール体５により確実に保持することができ、これにより錠剤管理装置を持ち運ぶ際、パッケージ体２が曲がったり、錠剤Ｍが誤って放出されることはない。
【００５４】
＜本発明の変形例＞
次に本発明の変形例について図１２および図１３により説明する。  
図１２に示す変形例は、第１部品５０の延在部５２にカバー７０を設ける代わりに、延在部５２に対してスライド自在のスライド体９０を設けたものである。  
他の部分は図１乃至図１１に示す実施の形態と略同一である。
【００５５】
図１２に示す変形例において、図１乃至図１１に示す実施の形態と同一部分には同一の符号を付して詳細な説明は省略する。
【００５６】
図１２に示すように第１部品５０の延在部５２に対して、この延在部５２を覆うスライド体９０が設けられている。このため使用時にスライド体９０を延在部５２から取外すことにより、容易に膨出部１１を外方へ露出させて膨出部１１内の錠剤Ｍを外方へ取出すことができる。
【００５７】
また使用しない場合、スライド体９０を延在部５２へ装着することにより、錠剤管理装置１全体をコンパクトに構成することができる。
【００５８】
また図１３に示す変形例は、第１部品５０が第２部品６０との間でパッケージ体２の取付領域２０を挟持する部品本体５１と、部品本体５１に対して揺動自在の延在部５２とを有する点が異なるが、他の構成は図１乃至図１１に示す実施の形態と同一である。
【００５９】
図１３に示す変形例において、図１乃至図１１に示す実施の形態と同一部分には同一符号を付して詳細な説明は省略する。
【００６０】
図１３において、延在部５２は部品本体５１に対して揺動させ、開となってパッケージ体２を支持する。このときパッケージ体２の取付領域２０は部品本体５１と第２部品６０との間で挟持される。そして延在部５２を部品本体５１に対して揺動させ、閉とする。このことにより、部品本体５１および第２部品６０を延在部５２により覆うことができ、錠剤管理装置１全体をコンパクトに構成することができる。
【符号の説明】
【００６１】
１    錠剤管理装置
２    パッケージ体
５  モジュール体
１０  収容領域
１１  膨出部
１３  パッケージ回路
２０  取付領域
２１  パッケージ端子群
２２  切欠
５０  第１部品
５０Ａ  第１開口
５１  部品本体
５２  延在部
５４係合リブ
６０  第２部品
７０  カバー
７０Ａ  第２開口
８０  情報処理基板
８５  モジュール端子群
Ｓ  挿入空間
【図１】
0006624498.tif 000002
【図２】
0006624498.tif 000003
【図３】
0006624498.tif 000004
【図４】
0006624498.tif 000005
【図５】
0006624498.tif 000006
【図６】
0006624498.tif 000007
【図７】
0006624498.tif 000008
【図８】
0006624498.tif 000009
【図９】
0006624498.tif 000010
【図１０】
0006624498.tif 000011
【図１１】
0006624498.tif 000012
【図１２】
0006624498.tif 000013
【図１３】
0006624498.tif 000014